(57)【特許請求の範囲】
【請求項１】
屋根パネル上で左右に隣接して設けられる一対の太陽電池付屋根パネルの隣接する端部をパネル保持部材を用いて接合する際の太陽電池付屋根パネルの防水構造であって、
前記一対の太陽電池付屋根パネルの各々は、屋根部材と、この屋根部材の上面に取り付けられたルーフィングシートと、このルーフィングシート上に取り付けられた下保持部材と、このルーフィングシートと前記屋根部材との間に張設された防水シートとを有し、
双方の防水シートは、双方の太陽電池付屋根パネルの隣接する端部から双方の太陽電池付屋根パネル間の空間に延出されて、延出された部分の端部が重合してロール状に巻かれ、
前記パネル保持部材は、双方の下保持部材に沿って上下に延びる一対の上保持部材と、双方の上保持部材を覆うカバーパネルとを有し、このカバーパネルが、前記双方の太陽電池付屋根パネル間の空間を塞ぐことにより、一次防水の機能を有するように構成され、
重合してロール状に巻かれた前記双方の防水シートの端部が、前記双方の上保持部材の間を通って前記カバーパネルの内部に置かれることにより、前記双方の防水シートが二次防水の機能を有するように構成されていることを特徴とする太陽電池付屋根パネルの防水構造。
【発明の詳細な説明】
【０００１】
【発明の属する技術分野】
この発明は、複数枚の太陽電池パネルの接合部分に防水機能を持たせて建物の屋根パネル上に設置される太陽電池付屋根パネルの防水構造に関するものである。
【０００２】
【従来の技術】
近年、複数の太陽電池パネルを家屋の屋根上に並設して発電させ、この太陽電池パネルからの電力を利用することにより、太陽エネルギーを有効に利用することが行われている。この屋根上に設置される太陽電池パネルは複数の太陽電池モジュールを接合してユニット化したものである（例えば、特開平３−１９９５６６号公報参照）。
【０００３】
【発明が解決しようとする課題】
ところで、この様な太陽電池パネルを屋根上に設置する場合、この太陽電池パネルを屋根瓦上に設置するのではなく屋根瓦兼用として屋根（屋根フレーム）上に直接設置することが考えられている。この場合、太陽電池パネルを屋根に取り付ける部分のシール性や太陽電池パネル同士を接合する部分のシール性を良くするのが望ましい。
【０００４】
そこで、この発明は、太陽電池を屋根に取り付ける部分のシール性や太陽電池パネル同士を接合する部分のシール性を十分に確保でき、作業性の良好な太陽電池付屋根パネルの防水構造を提供することを目的とするものである。
【０００５】
【課題を解決するための手段】
この目的を達成するため、本件発明の請求項１記載の太陽電池付屋根パネルの防水構造は、屋根パネル上で左右に隣接して設けられる一対の太陽電池付屋根パネルの隣接する端部をパネル保持部材を用いて接合する際の太陽電池付屋根パネルの防水構造であって、前記一対の太陽電池付屋根パネルの各々は、屋根部材と、この屋根部材の上面に取り付けられたルーフィングシートと、このルーフィングシート上に取り付けられた下保持部材と、このルーフィングシートと前記屋根部材との間に張設された防水シートとを有し、双方の防水シートは、双方の太陽電池付屋根パネルの隣接する端部から双方の太陽電池付屋根パネル間の空間に延出されて、延出された部分の端部が重合してロール状に巻かれ、前記パネル保持部材は、双方の下保持部材に沿って上下に延びる一対の上保持部材と、双方の上保持部材を覆うカバーパネルとを有し、このカバーパネルが、前記双方の太陽電池付屋根パネル間の空間を塞ぐことにより、一次防水の機能を有するように構成され、重合してロール状に巻かれた前記双方の防水シートの端部が、前記双方の上保持部材の間を通って前記カバーパネルの内部に置かれることにより、前記双方の防水シートが二次防水の機能を有するように構成されていることを特徴とする。
【０００６】
【作用】
本件発明の太陽電池付屋根パネルの防水構造では、カバーパネルが、双方の太陽電池付屋根パネル間の空間を塞ぐことにより、一次防水の機能を有するように構成し、双方の防水シートの端部が、前記カバーパネルの内部に置かれることにより、双方の防水シートが二次防水の機能を有するように構成したので、太陽電池を屋根に取り付ける部分のシール性や太陽電池パネル同士を接合する部分のシール性を十分に確保できる。
【０００７】
【発明の実施の形態】
以下、この発明の実施の形態を図に基づいて説明する。
【０００８】
図１（ａ）は本発明に係わる太陽電池付屋根パネルの防水構造を備える家屋の斜視図、（ｂ）は（ａ）の太陽電池付屋根パネルの分解斜視図である。
図２は図１のＡ−Ａ線に沿う断面図で、この発明に係る太陽電池付屋根パネルの防水構造の一例を示す断面図である。
【０００９】
図１（ａ）において、１は建物の奥行きの狭い手前側の家屋部、２は建物の奥行きの広い奥側の家屋部、３は家屋部１の外壁パネル、４は家屋部２の妻壁パネル（妻壁）である。この妻壁パネル４は、家屋部１の縁部から垂直に起立している。
【００１０】
更に、図１において、６は家屋部１の屋根パネル、７は屋根パネル６の一部である太陽電池パネル組立体である。この太陽電池パネル組立体７は、図１（ａ），（ｂ）に示した様に、太陽電池付屋根パネル（太陽電池パネル）８，８と、太陽電池付屋根パネル８，８同士を接合するユニット接合体（ユニットパネル保持材）９を有する。
【００１１】
また、太陽電池付屋根パネル８は、複数の太陽電池付屋根パネル（太陽電池パネル）１０，１０と、隣接する太陽電池付屋根パネル１０，１０同士を接合するパネル接合体（パネル保持部材）１１を有する。
【００１２】
この太陽電池付屋根パネル１０は、図１（ｂ）に示した様に長方形状に形成された屋根部材１２と、図２に示した様に屋根部材１２の上面に取り付けられたルーフィングシート１３と、ルーフィングシート１３上の左右縁部上に取り付けられた下保持部材の一部である縦縁フレーム１４，１４（第１部材の一部）と、ルーフィングシート１３の左右中央部間に取り付けられた下保持部材の一部としての縦中央フレーム１５（第１部材の一部）とを有する。
【００１３】
この縦縁フレーム１４は、図２に示した様に屋根部材１２の縁部に沿って延びる縦桟１４ａと、縦桟１４ａの縁部に沿って延びる小幅の合板１４ｂとを有する。
【００１４】
しかも、太陽電池付屋根パネル１０は、左右のフレーム１４，１４上及びフレーム１４，１４間に跨って配設され且つルーフィングシート１３及び縦中央フレーム１５上に配設された下地パネル１６を下保持部材（第１部材の一部）として有する。
【００１５】
そして、下地パネル１６の左右縁部には、図２に示した様に、縦桟１４ａ及び合板１４ｂに沿って階段状に設けられた段差Ｄ１，Ｄ２，Ｄ３及び段差Ｄ１，Ｄ２，Ｄ３間の階段面Ｓ１，Ｓ２が形成されている。尚、段差Ｄ３は、縦方向に延びるフランジｆ１を階段面Ｓ２上に突設することにより形成されたものである。
【００１６】
更に、太陽電池付屋根パネル１０は、上下に間隔を置いてフレーム１４，１５間に配設された多数の横フレーム１８と、下地パネル１６上に位置させてフレーム１４，１５，１８との間に配設した正方形パネル状の太陽電池モジュール１９（太陽電池パネル）を有する。
【００１７】
縦中央フレーム１５，１５上には、下地パネル１６，１６の上方に位置させて中央モジュール接合体（中央モジュール接合手段）２１が配設されている。この中央モジュール接合体２１は、縦中央フレーム１５，１５に沿って上下に延びる上保持部材２２，２２と、上保持部材２２，２２上を覆うカバーパネル（パネル間化粧カバー）２３を有する。ここで、下保持部材としての下地パネル１６を第１部材としたときには上保持部材２２は第２部材とし、中央モジュール接合体２１の上保持部材２２を第１部材としたときにはカバーパネル２３が第２部材となる。
【００１８】
また、上保持部材２２は、左右両側部に下方に突出する肉厚の保持部２２ａ，２２ａを有する。この保持部２２ａと階断面Ｓ１との間には太陽電池モジュール１９の側縁部ウレタン樹脂製のシール部材２５を介して気密に固定されている。このシール部材２５は、１次防水の機能を有している。
【００１９】
更に、上保持部材２２は、保持部２２ａの側方に開放するカバー取付溝２２ｂを有する。
【００２０】
そして、カバーパネル２３の両側の折り返し部２３ａ，２３ａがカバー取付溝２２ｂ，２２ｂに嵌着されている。このカバーパネル２３は、ビス２４ａの頭部及び上保持部材２２の上面をカバーしている。このカバー取付溝２２ｂと折り返し部２３ａのカバー取付溝２２ｂへの嵌合部は１次防水の機能を有する。
【００２１】
この様にビス２４ａ側に向うに従って階段状に高くなる段差Ｄ１〜Ｄ３と１次防水の構造により、下地パネル１６の上及び上保持部材２２の上を中央側に雨水が移動してビス２４の部分から下方に洩れるのを防止している。
【００２２】
図２は、屋根部材１２，１２とルーフィングシート１３，１３との間にブチルゴム製の防水シート３１，３１を張設し、屋根パネル１０，１０の端部より延長された前記防水シート３１，３１のそれぞれの端部を重合してロール状にすることによりシールする。その際前記防水シート３１，３１の両端に合成樹脂製の棒３２，３２を接合しておくとロールに巻きやすく作業性が良い。そして、ロール状に巻かれた前記防水シート３１，３１の端部は上保持部材２２，２２の間を通って置かれ、カバーパネル２３でシールされる。このため、カバーパネル２３による一次防水と、防水シート３１，３１による二次防水の機能を有する。
【００２３】
図３は、この発明に係る太陽電池付屋根パネルの防水構造の変形例を示す断面図である。図２と同様に、同じ部材及び類似する部材には同じ符号を付してその説明を省略する。図２と同様に、屋根部材１２，１２とルーフィングシート１３，１３との間にブチルゴム製の防水シート３１，３１を張設し、屋根パネル１０，１０の端部より延長された前記防水シート３１，３１のそれぞれの端部を重合してロール状にすることによりシールする。その際前記防水シート３１，３１の両端に合成樹脂製の棒３２，３２を接合しておくとロールに巻きやすく作業性が良い。そして、ロール状に巻かれた前記防水シート３１，３１端部は屋根部材１２，１２の間を通って置かれ、カバーパネル３３を、ビス２４ｂ（締結部部材）により屋根部材１２，１２に取り付けられてシールされる。防水機能としては図２と同様の機能を有する。
【００２４】
【発明の効果】
以上説明したように、本件発明の太陽電池付屋根パネルの防水構造では、カバーパネルが、双方の太陽電池付屋根パネル間の空間を塞ぐことにより、一次防水の機能を有するように構成し、双方の防水シートの端部が、前記カバーパネルの内部に置かれることにより、双方の防水シートが二次防水の機能を有するように構成したので、太陽電池を屋根に取り付ける部分のシール性や太陽電池パネル同士を接合する部分のシール性を十分に確保できる。
【００２５】
また、防水シートの接合工事は屋根面側から太陽電池の上に乗らなくとも作業が可能であり、小屋裏側から作業しなくて済むので、小屋裏収納室の設置や傾斜天井等を取り付けることができる。
【図面の簡単な説明】
【図１】（ａ）はこの発明に係る太陽電池付屋根パネルの防水構造を備える家屋の斜視図、（ｂ）は（ａ）の太陽電池付屋根パネルの分解斜視図である。
【図２】図１のＡ−Ａ線に沿う断面図で、この発明に係る太陽電池付屋根パネルの防水構造の一例を示す断面図である。
【図３】図１のＡ−Ａ線に沿う断面図で、この発明に係る太陽電池付屋根パネルの防水構造の変形例を示す断面図である。
【符号の説明】
８・・・太陽電池付屋根パネル（太陽電池パネル）
１０・・・太陽電池付屋根パネル（太陽電池パネル）
１９・・・太陽電池モジュール１９（太陽電池パネル）
１２・・・屋根部材
１６・・・下地パネル１６（下保持部材（第１部材））
２２・・・上保持部材
（下地パネルに対して第２部材，又はカバーパネルに対して第１部材）
２３・・・カバーパネル２３（第２部材）
Ｄ１〜Ｄ３，ｄ１〜ｄ３・・・段差
３１・・・防水シート
【図１】
0004268714.tif 000002
【図２】
0004268714.tif 000003
【図３】
0004268714.tif 000004